(57)【特許請求の範囲】
【請求項１】
ビデオ信号中の映像信号を画面に表示し、また、コンピュータネットワークからデータを取り込み、映像信号に変換して画面に表示する情報表示装置において、１つのウインドウに複数のフレームを設定し、該複数のフレームのそれぞれに異なるページを表示するフレーム機能を使用した情報ページを受信する受信手段と、該受信手段が受信した情報ページの１つのフレームを画面全体で表示する表示手段と、前記複数のフレームに各対応し、前記表示手段が表示するフレームを選択する為のアイコンを表示する手段と、該手段が表示したアイコンの何れかを選択する手段とを備えることを特徴とする情報表示装置。
【請求項２】
前記受信手段が受信した情報ページを前記フレーム機能により表示するフレーム機能表示手段と、該フレーム機能表示手段に前記情報ページを表示させる為の操作ボタンとを更に備え、該操作ボタンが操作されたときに、前記フレーム機能表示手段は、前記情報ページを前記画面に表示する請求項１記載の情報表示装置。
【発明の詳細な説明】
【０００１】
【発明の属する技術分野】
本発明は、ビデオ信号中の映像信号を画面に表示し、また、インターネット及びイントラネット等のコンピュータネットワークからデータを取り込み、映像信号に変換して画面に表示する情報表示装置に関するものである。
【０００２】
【従来の技術】
インターネットは、世界的な規模で多数のコンピュータが接続されたコンピュータネットワークであり、それぞれのコンピュータには読み出すことができる様々な情報が蓄えられている。この情報には、電子メール、各種プログラム及びホームページ等があり、双方向で通信することができる。ホームページは、１つの情報の表紙及び目次に当たるものであり、ホームページ上の絵（アイコン）及び単語を選択することにより、必要な情報を検索して行くことができる。
【０００３】
図１０は、それぞれのコンピュータとインターネットとの接続例を説明するための説明図である。この接続例では、パーソナルコンピュータ７は、モデム８又はターミナルアダプタを介して電話回線２に接続され、この電話回線２により、接続サービス会社であるプロバイダのモデム３又はターミナルアダプタに接続される。モデム３は、プロバイダのコンピュータであるサーバ４に接続されている。
【０００４】
サーバ４は、中継経路を設定するためのルーター５を介してインターネット６に常時接続されている。
パーソナルコンピュータ７からは、必要なときに電話をかけて、プロバイダのサーバ４経由でインターネット６に接続する（ダイヤルアップ接続）。
近時、このインターネット６にパーソナルコンピュータ７の代わりに接続し、その画面にインターネットの様々な情報を表示できる情報表示装置が提案されている。
【０００５】
この情報表示装置とインターネットとの接続は、例えば図１に示すようになっている。この接続例では、リモートコントロール装置２０ａにより遠隔操作される情報表示装置１が、電話回線２に接続される。情報表示装置１には、モデムが内蔵されている。電話回線２は、接続サービス会社であるプロバイダのモデム３又はターミナルアダプタに接続され、モデム３は、プロバイダのコンピュータであるサーバ４に接続されている。
【０００６】
サーバ４は、中継経路を設定するためのルーター５を介してインターネット６に常時接続されている。
情報表示装置１からは、リモートコントロール装置２０ａが操作されると、自動的に電話の呼出し動作が行われ、プロバイダのサーバ４経由でインターネット６に接続する（ダイヤルアップ接続）。
【０００７】
【発明が解決しようとする課題】
インターネットには、１つのウインドウに複数のフレームを設定し、その複数のフレームのそれぞれに異なるページを表示するフレーム機能があり、そのフレーム機能を使用したホームページを、パーソナルコンピュータで表示した場合、例えば、図１１に示すように、画面上の複数のフレーム毎に１つのフレームをスクロールする為のスクロールバー５２が表示され、複数のフレームの内の１つのフレームにおいて、カーソル５３でスクロールバー５２を指示することによりスクロールを行っても、他のフレームはその影響を受けない。
【０００８】
このようなフレーム機能を使用したホームページを、上述した情報表示装置１であるテレビジョン受像機で表示した場合、１画面上で表示できる情報量は６４０×４８０画素であり、パーソナルコンピュータに使用される表示装置の８００×６００画素又は１０２４×７６８画素に比較して少ないので、画面上の複数のフレームの内の１つのフレームで表示できる情報量も少なく、見辛いものになる。また、小さな文字フォントを使用しても、文字が小さくなり読み辛いものになる。
【０００９】
また、テレビジョン受像機を使用してインターネットに接続するユーザは、上述したフレーム機能に不案内な場合が多く、フレーム機能による表示画面には戸惑うことがある。
本発明は、上述したような事情に鑑みてなされたものであり、テレビジョン受像機のように１画面上で表示できる情報量が少ない画面上においても、フレーム機能を使用したホームページを見易くできる情報表示装置を提供することを目的とする。
【００１０】
【課題を解決するための手段】
第１発明に係る情報表示装置は、ビデオ信号中の映像信号を画面に表示し、また、コンピュータネットワークからデータを取り込み、映像信号に変換して画面に表示する情報表示装置において、１つのウインドウに複数のフレームを設定し、該複数のフレームのそれぞれに異なるページを表示するフレーム機能を使用した情報ページを受信する受信手段と、該受信手段が受信した情報ページの１つのフレームを画面全体で表示する表示手段と、前記複数のフレームに各対応し、前記表示手段が表示するフレームを選択する為のアイコンを表示する手段と、該手段が表示したアイコンの何れかを選択する手段とを備えることを特徴とする。
【００１１】
この情報表示装置では、１つのウインドウに複数のフレームを設定し、その複数のフレームのそれぞれに異なるページを表示するフレーム機能を使用した情報ページを、受信手段が受信し、表示手段が、その受信した情報ページの１つのフレームを１つの画面で表示する。また、アイコンを表示する手段が、その複数のフレームに各対応し表示手段が表示するフレームを選択する為のアイコンを表示し、選択する手段が、その表示したアイコンの何れかを選択する。
これにより、フレーム機能による複数フレームのそれぞれのページを、１フレーム毎に画面全体で表示することができ、テレビジョン受像機のように１画面上で表示できる情報量が少ない画面上においても、フレーム機能を使用したホームページを見易くできる。
【００１２】
第２発明に係る情報表示装置は、前記受信手段が受信した情報ページを前記フレーム機能により表示するフレーム機能表示手段と、該フレーム機能表示手段に前記情報ページを表示させる為の操作ボタンとを更に備え、該操作ボタンが操作されたときに、前記フレーム機能表示手段は、前記情報ページを前記画面に表示することを特徴とする。
【００１３】
この情報表示装置では、操作ボタンが操作されたときに、フレーム機能表示手段が、受信手段が受信した情報ページをフレーム機能により画面に表示する。これにより、フレーム機能による複数フレームの表示画面も見ることができる。
【００１４】
【発明の実施の形態】
以下に、本発明を、その実施の形態を示す図面に基づき説明する。
図１は、本発明に係る情報表示装置とインターネットとの接続例を説明するための説明図である。この接続例では、リモートコントロール装置２０ａにより遠隔操作される情報表示装置１ａが、電話回線２に接続される。情報表示装置１ａには、モデムが内蔵されている。電話回線２は、接続サービス会社であるプロバイダのモデム３又はターミナルアダプタに接続され、モデム３は、プロバイダのコンピュータであるサーバ４に接続されている。
【００１５】
サーバ４は、インターネット６に常時接続されており、中継経路を設定するためのルーター５を介してインターネット６に接続されている。
情報表示装置１ａからは、リモートコントロール装置２０ａが操作されると、自動的に電話の呼出し動作が行われ、プロバイダのサーバ４経由でインターネット６に接続する（ダイヤルアップ接続）。
【００１６】
この情報表示装置１ａの構成は、図２に示すブロック図のようになっており（音声関係は省略）、アンテナ１０ａにより受信されたテレビジョン電波がチューナ１０で選局され、選局されたテレビジョン電波は、映像中間周波・検波回路１１によりビデオ信号が検波される。検波されたビデオ信号は、ビデオクロマ処理部１２により輝度信号Ｙ及び色差信号Ｂ−Ｙ，Ｒ−Ｙが抽出される。
【００１７】
抽出された輝度信号Ｙ及び色差信号Ｂ−Ｙ，Ｒ−Ｙは、ビデオ信号処理部１３により赤、緑及び青の各色信号Ｒ，Ｇ，Ｂに変換される。この各色信号Ｒ，Ｇ，Ｂは、切替部１４を介して、ＲＧＢマトリクス１５に与えられ、各色毎にＣＲＴ１７に出力される。
映像中間周波・検波回路１１により検波されたビデオ信号は、また、同期分離偏向処理部１６にも与えられ、垂直同期信号及び水平同期信号が抽出される。抽出された垂直同期信号及び水平同期信号は、ＣＲＴ１７に与えられ、画面走査の同期信号として使用される。
【００１８】
一方、通信回線２４に接続されたインターネット処理部２２は、通信回線２４経由で与えられたデータから映像信号の赤、緑及び青の各色信号Ｒ，Ｇ，Ｂを抽出し、この各色信号Ｒ，Ｇ，Ｂは、切替部２３を介して、ＲＧＢマトリクス１５に与えられ、各色毎にＣＲＴ１７に出力される。インターネット処理部２２は、インターネットの画面のみを表示する場合は、独自に垂直同期信号及び水平同期信号を作成し、この垂直同期信号及び水平同期信号は、ＣＲＴ１７に与えられ、画面走査の同期信号として使用される。
【００１９】
選局ＣＰＵ２０は、リモートコントロール装置２０ａからの光信号、電波信号等による指示に従って、チューナ１０に選局指示信号を出力すると共に、インターネット処理部２２との信号の授受を行い、情報表示装置１ａを操作制御する。また、必要に応じて、オンスクリーンディスプレイ制御部２１にも指示信号を出力して、オンスクリーンディスプレイ制御部２１から映像信号をＲＧＢマトリクス１５に与えさせる。
【００２０】
図３は、インターネット処理部２２の構成例を示すブロック図である。インターネット処理部２２は、インターネット処理部２２全体を制御するＣＰＵ３１と、後日更新することができるプログラムを格納する為のフラッシュメモリ３４と、フォントデータ等後日更新することがないデータ及びプログラムを格納するＲＯＭ３２と、作業用のＲＡＭ３３とを備えている。
【００２１】
インターネット処理部２２は、また、選局ＣＰＵ２０との接続を行う選局ＣＰＵＩ／Ｆ（インタフェース）３５と、映像信号が書き込まれ読み出される画像メモリ４０と、映像信号を画像メモリ４０に書き込む画像処理部３９と、シリアルＩ／Ｆ３７と、Ｉ／Ｏポート３０ａと、外部のパーソナルコンピュータ等に接続する為のシリアルＩ／Ｆ３８と、キーボードと接続する為のキーボードＩ／Ｆ３６と、上述した各部を接続するバス３０と、通信回線２４に接続されたモデム５０と、ＩＳＤＮ回線に接続する為のＴＡ（ターミナルアダプタ）５１と、画像メモリ４０に接続され、切替部２３、ＲＧＢマトリクス１５等の映像処理部に接続されたＤ／Ａ変換部４１とを備えている。シリアルＩ／Ｆ３７は、モデム５０及びＴＡ５１の何れかと必要に応じて接続される。
【００２２】
以下に、このような構成の情報表示装置１ａの動作を説明する。
情報表示装置１ａは、選局ＣＰＵ２０により、通常のテレビジョンとして作動するモードが指定された場合は、アンテナ１０ａにより受信されたテレビジョン電波が、選局ＣＰＵ２０からの指示により、チューナ１０で選局される。選局されたテレビジョン電波は、映像中間周波・検波回路１１によりビデオ信号が検波され、検波されたビデオ信号からは、ビデオクロマ処理部１２により輝度信号Ｙ及び色差信号Ｂ−Ｙ，Ｒ−Ｙが抽出される。
【００２３】
抽出された輝度信号Ｙ及び色差信号Ｂ−Ｙ，Ｒ−Ｙは、ビデオ信号処理部１３により赤、緑及び青の各色信号Ｒ，Ｇ，Ｂに変換される。この各色信号Ｒ，Ｇ，Ｂは、切替部１４を介して、ＲＧＢマトリクス１５に与えられ、各色毎にＣＲＴ１７に出力される。
映像中間周波・検波回路１１により検波されたビデオ信号からは、同期分離偏向処理部１６により垂直同期信号及び水平同期信号が抽出される。抽出された垂直同期信号及び水平同期信号は、ＣＲＴ１７に与えられ、各色信号Ｒ，Ｇ，Ｂを画面走査する時の同期信号として使用される。
【００２４】
情報表示装置１ａは、選局ＣＰＵ２０により、情報表示装置１ａとして作動するモードが指定された場合、ＣＰＵ３１が割込みを掛けられる。ＣＰＵ３１は、割込みを掛けられると、フラッシュメモリ３４から初期画面の１画面分の映像信号を読出し、ＲＡＭ３３へセットする。
また、ＣＰＵ３１は、Ｉ／Ｏポート３０ａ経由で切替信号を出力し、切替部１４からの出力を停止させ、ＲＧＢマトリクス１５への入力を切替部２３とオンスクリーンディスプレイ制御部２１とからのみに切替る。
【００２５】
画像処理部３９は、内蔵するクロックにより水平同期信号を与えられる都度、ＣＰＵ３１が内蔵するＤＭＡコントローラを作動させ、ＤＭＡによりＲＡＭ３３から１走査線分の映像信号の各色信号Ｒ，Ｇ，Ｂを読出させ、画像メモリ４０に与える。画像メモリ４０では、この各色信号Ｒ，Ｇ，Ｂを、画像処理部３９が内蔵するクロックによるタイミングに基づきそれぞれ書込み、それぞれ読出す。読出された各色信号Ｒ，Ｇ，Ｂは、切替部２３を介して、ＲＧＢマトリクス１５に与えられ、各色毎にＣＲＴ１７に出力される。
【００２６】
上述した動作の結果、ＣＲＴ１７の表示画面には、図４に示すような初期画面が表示される。操作者が、この初期画面の「お店情報」「旅行・観光」「ニュース」「学習」「娯楽」「地域と企業情報」「オリジナル」「検索」「電子メール」の各絵（アイコン）の中から、リモートコントロール装置２０ａを操作して、例えば、「旅行・観光」の絵を選択し決定すると、インターネット処理部２２は、初期画面のときと同様にして、図５に示すような「旅行・観光」の選択画面を表示する。以下、同様にして、選択画面において選択され決定される都度、ツリー状に選択肢に連なった同様の下位選択画面が表示される。即ち、選択画面において、水平又は垂直方向の表示スクロールを行う場合には、リモートコントロール装置２０ａの操作でカーソル４６を表示画面上の上下左右端に移動させ、更に画面をスクロールさせたい方向へカーソル４６を操作することにより、表示スクロールが可能となる。
【００２７】
リモートコントロール装置２０ａは、初期画面（図４）の下部に表示された絵４２のように、上面の右端に選択ボタン（４３）、左端に決定ボタン（４４）、中央部に各種の操作ボタン（４５）を備えている。操作ボタン（４５）には、フレーム機能により複数フレーム画面を表示させる為の操作ボタン（４５ａ）も備えている。
選択ボタン（４３）は、「指さし手」のポインター又はカーソル等の位置を８方向へ自在に移動させることが可能であり、決定ボタン（４４）が操作されたときのポインター又はカーソル等と重なる絵（ボタン形の絵も含む）又は文字列で表示される項目が選択決定される。
【００２８】
選択画面において選択決定され検索が進むと、検索された項目に関連した絵が、フラッシュメモリ３４から読出され表示画面に表示される。操作者が、リモートコントロール装置２０ａを操作して、この絵の中から選択決定すると、ＣＰＵ３１が、プロバイダーのサーバ４の電話番号を読出し、電話の呼出し動作を行い、プロバイダのサーバ４とインターネット処理部２２とが接続される。プロバイダのサーバ４と接続されると、選択決定された絵に対応するＵＲＬが呼出され接続される。
【００２９】
接続されたＵＲＬのホームページのデータが通信回線２４及びモデム５０経由で送られて来ると、ＣＰＵ３１は、このデータを映像信号に変換しＲＡＭ３３にセットする。ＲＡＭ３３にセットされた映像信号は、初期画面の場合と同様にして、表示画面に表示される。
登録されていないＵＲＬを呼出す場合は、画面の最上段に表示された、図６に示すようなブラウザのメニュー画面（メニューバー）の「ＵＲＬ入力」をカーソル４６により選択決定して、そのＵＲＬを入力する。
【００３０】
図７は、フレーム機能を使用したホームページにアクセスしたときの表示動作を示すフローチャートである。ＣＰＵ３１は、ホームページのデータを受信してフレーム機能の表示動作を開始すると（Ｓ１０）、最初に走査表示されるフレーム（画面の向かって左上隅のフレーム）を、図８に示すように、画面全体に表示する（Ｓ１２）。尚、最初に表示するフレームは任意でよい。フレーム機能を使用していないホームページにアクセスしたときは、通常の表示動作を行う。
このとき（Ｓ１２）、ＣＰＵ３１は、図８に示すように、フレーム機能による複数フレームのそれぞれに対応し、画面全体に表示するフレームを選択する為の選択ボタン（アイコン）５２〜５５を画面の上部に表示する（Ｓ１４）。
【００３１】
上述した状態（Ｓ１４）において、画面上で、画面に表示されたフレームに対応する選択ボタン５２以外の選択ボタン５３〜５５上にカーソル４６が移動させられ、決定ボタン４４が押下げられ（操作され）、その選択ボタン５３〜５５が選択されると（Ｓ１６）、ＣＰＵ３１は、選択された選択ボタン５３〜５５に対応するフレームを画面全体に表示する（Ｓ１８）。フレームを画面全体に表示する場合には、従来からある技術、例えば、特開平２−１７６８２４の如き技術を使用すれば実現できる。
【００３２】
上述した状態（Ｓ１４又はＳ１８）において、リモートコントロール装置２０ａの、フレーム機能により複数フレーム画面を表示させる為の操作ボタン４５ａが押下げられると（操作されると）（Ｓ２０）、ＣＰＵ３１は、図９に示すような、フレーム機能による本来の、複数フレームからなる画面を表示する（Ｓ２２）。
この状態（Ｓ２２）において、再度、操作ボタン４５ａが押下げられると（Ｓ２４）、最初に走査表示されるフレームを画面全体に表示する（Ｓ１２）。尚、操作ボタン４５ａの代わりに、フレーム機能により複数フレーム画面を表示させる為の操作ボタンのアイコンを画面上に設け、カーソル４６により選択決定する（操作する）ようにしても良い。
【００３３】
【発明の効果】
第１発明に係る情報表示装置によれば、フレーム機能による複数フレームのそれぞれのページを、１フレーム毎に画面全体で表示することができ、テレビジョン受像機のように１画面上で表示できる情報量が少ない画面上においても、フレーム機能を使用したホームページを見易くできる。
【００３４】
第２発明に係る情報表示装置によれば、フレーム機能による複数フレームのそれぞれのページを、１フレーム毎に画面全体で表示することができ、テレビジョン受像機のように１画面上で表示できる情報量が少ない画面上においても、フレーム機能を使用したホームページを見易くできると共に、フレーム機能による複数フレームの表示画面も見ることができる。
【図面の簡単な説明】
【図１】本発明に係る情報表示装置とインターネットとの接続例を説明する為の説明図である。
【図２】本発明に係る情報表示装置の実施の形態の構成を示すブロック図である。
【図３】インターネット処理部の構成例を示すブロック図である。
【図４】インターネットの初期画面を説明する為の説明図である。
【図５】「旅行・観光」の選択画面を説明する為の説明図である。
【図６】ブラウザのメニュー画面を説明する為の説明図である。
【図７】本発明に係る情報表示装置の動作を示すフローチャートである。
【図８】本発明に係る情報表示装置の動作を説明する為の説明図である。
【図９】本発明に係る情報表示装置の動作を説明する為の説明図である。
【図１０】インターネットを説明する為の説明図である。
【図１１】パーソナルコンピュータのフレーム機能による表示画面を説明する為の説明図である。
【符号の説明】
１ａ  情報表示装置
１４，２３  切替部
１７  ＣＲＴ
２０  選局ＣＰＵ
２０ａ  リモートコントロール装置
２２  インターネット処理部
２４  通信回線
３１  ＣＰＵ
３２  ＲＯＭ
３３  ＲＡＭ
３４  フラッシュメモリ
３９  画像処理部
４０  画像メモリ
４５ａ  操作ボタン
４６  カーソル
５２〜５５  選択ボタン（アイコン）
【図１】
0003599993.tif 000002
【図２】
0003599993.tif 000003
【図３】
0003599993.tif 000004
【図４】
0003599993.tif 000005
【図５】
0003599993.tif 000006
【図６】
0003599993.tif 000007
【図７】
0003599993.tif 000008
【図８】
0003599993.tif 000009
【図９】
0003599993.tif 000010
【図１０】
0003599993.tif 000011
【図１１】
0003599993.tif 000012